(57)【要約】【課題】  受信レベルが不安定な場所でも、ラジオ受信と音楽再生が頻繁に切り替わらずユーザに不快感を与えない。【解決手段】  ラジオ放送を選局して受信した音声信号を出力するラジオチューナ部１と、蓄積されている音楽データを再生する音楽再生部２と、ラジオチューナ部１が選局しているチャンネルの受信レベルを取得し、受信レベルが基準劣化レベル未満になった場合に、音楽再生部２による音楽再生機能に移行させ、受信レベルが基準劣化レベルより大きく設定されている基準回復レベル以上に復帰した場合に、ラジオチューナ部１によるラジオ放送受信機能に復帰させる制御部４とを備えている。【選択図】        図１
2006165682.tif 000002
【特許請求の範囲】
【請求項１】
ラジオ放送を選局して受信した音声信号を出力するラジオチューナ部と、
蓄積されている音楽データを再生する音楽再生部と、
上記ラジオチューナ部が選局しているチャンネルの受信レベルを取得し、受信レベルが基準劣化レベル未満になった場合に、上記音楽再生部による音楽再生機能に移行させ、受信レベルが上記基準劣化レベルより大きく設定されている基準回復レベル以上に復帰した場合に、上記ラジオチューナ部によるラジオ放送受信機能に復帰させる制御部とを備えたラジオ放送受信装置。
【請求項２】
制御部は、受信レベルが所定期間の間、基準劣化レベル未満になった場合に音楽再生機能に移行させ、受信レベルが所定期間の間、基準回復レベル以上に復帰した場合にラジオ放送受信機能に復帰させることを特徴とする請求項１記載のラジオ放送受信装置。
【請求項３】
音楽再生機能への移行及びラジオ放送受信機能への復帰の際に、制御部の指示に基づき通知音を鳴動する通知音鳴動部を備えたことを特徴とする請求項１記載のラジオ放送受信装置。
【発明の詳細な説明】
【技術分野】
【０００１】
この発明はラジオ放送受信機能と音楽再生機能を有するラジオ放送受信装置に関するものである。
【背景技術】
【０００２】
従来のラジオ放送受信装置においては、電波状況が悪化して放送電波を正常に受信できなくなった場合に、放送電波による音声の代りにノイズ音がスピーカより出力され、ユーザは突然の電波状況の悪化によるノイズ音により不快感を感じてストレスとなることがある。
【０００３】
この課題を解決する従来の技術として、特許文献１に記載された移動体用マルチメディアシステムのソース切替装置がある。ここでは、スピーカ及びディスプレイへ供給する情報のソースがテレビチューナあるいはラジオチューナという受信選局装置であった場合、例えば弱電界地域等に入って放送信号の受信レベルが低下し、それらの受信選局装置における放送信号の受信状態が不適切状態になると、別の情報ソース、例えばナビゲーション装置に切り替える。その後、放送信号の受信状態が所定の適切状態に復帰した場合には、元の受信選局装置に切り替えて復帰させている。
【０００４】
また、別の従来技術として、特許文献２に記載されたカーオーディオのオートセレクタ装置がある。ここでは、チューナが放送電波を受信してオーディオセレクタに送り、オーディオセレクタは受信した放送電波をアンプに送って増幅しスピーカから出力する。放送電波の受信レベルが低下したときには、オーディオセレクタはその状態を検知して、カセットプレーヤやＣＤプレーヤを自動的に選択して起動させ、その出力をアンプに送ってスピーカから出力している。また、放送電波の受信レベルが回復すれば、ラジオ受信に復帰させている。
【０００５】
【特許文献１】特開２０００−２６１７３１号公報（要約、解決手段）
【特許文献２】特開平１０−１６３９１１号公報（要約、解決手段、００１２，００１７）
【発明の開示】
【発明が解決しようとする課題】
【０００６】
従来のソース切替装置やオートセレクタ装置は以上のように構成され、電波の受信レベルの低下により音楽再生に切り替え、受信レベルの復帰により元のラジオ受信に切り替えているので、受信レベルが不安定な場所ではラジオ受信と音楽再生が頻繁に切り替わってしまい、ユーザに不快感を与えるという課題があった。
【０００７】
この発明は上記のような課題を解決するためになされたもので、受信レベルが不安定な場所でも、ラジオ受信と音楽再生が頻繁に切り替わらずユーザに不快感を与えることがないラジオ放送受信装置を得ることを目的とする。
【課題を解決するための手段】
【０００８】
この発明に係るラジオ放送受信装置は、ラジオ放送を選局して受信した音声信号を出力するラジオチューナ部と、蓄積されている音楽データを再生する音楽再生部と、上記ラジオチューナ部が選局しているチャンネルの受信レベルを取得し、受信レベルが基準劣化レベル未満になった場合に、上記音楽再生部による音楽再生機能に移行させ、受信レベルが上記基準劣化レベルより大きく設定されている基準回復レベル以上に復帰した場合に、上記ラジオチューナ部によるラジオ放送受信機能に復帰させる制御部とを備えたものである。
【発明の効果】
【０００９】
この発明により、ラジオ放送受信機能と音楽再生機能が頻繁に切り替わることを防ぐことができ、ユーザに不快感を与えることがないという効果が得られる。
【発明を実施するための最良の形態】
【００１０】
実施の形態１．
図１はこの発明の実施の形態１によるラジオ放送受信機能と音楽再生機能を有するラジオ放送受信装置の構成を示すブロック図である。このラジオ放送受信装置は、ラジオ放送を選局して受信した音声信号を出力するラジオチューナ部１、任意の音楽データを再生する音楽再生部２、ラジオ放送を受信するアンテナ部３、ラジオ放送の受信レベルによってラジオ放送受信機能を動作させるか音楽再生機能を動作させるかをコントロールする制御部４、ラジオ放送受信又は音楽再生時の音声信号を増幅するアンプ部５、増幅された音声信号を出力するスピーカ６、音楽データを蓄積している音楽データ記憶部７、ユーザがラジオ放送受信機能を操作するためのラジオ操作部８、音楽再生機能又はラジオ受信機能への切り替え時に通知音を鳴動させる通知音鳴動部９を備えている。
【００１１】
次に動作について説明する。
図２はラジオ放送受信装置の処理の流れを示すフローチャートである。ステップＳＴ１１において、ラジオチューナ部１は、ラジオ操作部８からユーザによりラジオ放送受信機能が起動されることで指定されたチャンネルで、アンテナ部３を介してラジオ放送の受信を行い、受信した音声信号をアンプ５に出力することによりラジオ放送受信機能を行い、アンプ５はラジオチューナ部１からの音声信号を増幅してスピーカ６は音声を出力する。
【００１２】
ステップＳＴ１２において、制御部４は、ラジオ放送受信機能が開始すると、ラジオチューナ部１が選局しているチャンネルの受信レベルを取得し、所定時間の間、予め指定されていた基準レベル（基準劣化レベル）以上かどうかの判定を行う。このステップＳＴ１２で所定時間の間、受信レベルが基準レベル（基準劣化レベル）以上であれば、制御部４は、ラジオチューナ部１に受信した音声信号を、そのままアンプ５に出力させることによりラジオ放送受信機能を続行させる。制御部４は、ラジオチューナ部１がラジオ放送を受信しているときに、この受信レベルの判定を繰り返し行う。
【００１３】
ステップＳＴ１２で受信レベルが所定時間の間、基準レベル（基準劣化レベル）未満となった場合には、ステップＳＴ１３において、制御部４はラジオチューナ部１に受信した音声信号のアンプ５への出力を停止させる。ステップＳＴ１４において、制御部４は通知音鳴動部９に音楽再生開始を通知するための通知音を鳴動させる。ステップＳＴ１５において、制御部４は音楽再生部２に音楽再生を起動させることにより音楽再生機能への切り替えを行う。音楽再生部２は音楽データ記憶部７に記憶されている任意の音楽データを再生してアンプ５に出力し、アンプ５は音楽データを増幅しスピーカ６は音楽データを出力する。
【００１４】
ステップＳＴ１６において、制御部４は、引き続きラジオチューナ部１が受信しているチャンネルの受信レベルを取得し、所定時間の間、受信レベルが予め指定されている基準レベル（基準回復レベル）以上かどうかの判定を行う。ここで、基準回復レベルは基準劣化レベルより大きく設定されている。このステップＳＴ１６で、所定時間の間、予め指定されている基準レベル（基準回復レベル）未満の場合には、制御部４は音楽再生部２に音楽再生を引き続いて行わせることにより音楽再生機能を続行させる。制御部４は、受信レベルが所定時間の間、予め指定されている基準レベル（基準回復レベル）以上かどうかの判定を繰り返し行う。
【００１５】
ステップＳＴ１６で受信レベルが所定時間の間、基準レベル（基準回復レベル）以上となり、ラジオ放送受信が可能となった場合には、ステップＳＴ１７において、制御部４は、音楽再生部２に音楽再生を停止させることにより音楽再生機能を停止させる。ステップＳＴ１８において、制御部４は通知音鳴動部９にラジオ放送受信開始を通知するための通知音を鳴動させて、ステップＳＴ１１のラジオ放送受信機能を行わせる。
【００１６】
図２に示す処理を繰り返すことにより、ラジオ放送受信機能中に受信レベルが所定期間の間、基準劣化レベル未満になった場合に自動的に音楽再生機能に移行し、受信レベルが所定期間の間、基準回復レベル以上に復帰した場合に自動的にラジオ放送受信機能態に復帰する際に、受信レベルを判定する際の基準レベルとして、基準回復レベルを基準劣化レベルより大きく設定することにより、ラジオ放送受信機能と音楽再生機能が頻繁に切り替わることをさらに防ぐことができる。また、基準劣化レベル未満の受信レベル及び基準回復レベル以上の受信レベルが所定時間維持されてから、それぞれ音楽再生機能及びラジオ放送受信機能へ切り替えることにより、受信レベルによりラジオ放送受信機能と音楽再生機能が頻繁に切り替わることを防ぐことができる。
【００１７】
図３はラジオ放送受信装置のラジオ放送受信機能と音楽再生機能の切り替えを概念的に説明する図である。図３に示すように、ラジオ放送受信機能を動作させている際に電波状況が悪化し、受信レベルが基準劣化レベル未満となり、ラジオ放送を聞くことができなくなった場合には、自動的にラジオ放送受信機能を停止して音楽再生機能を起動させる。また、音楽再生機能中に電波状況が回復し、受信レベルが基準回復レベル以上となった場合には、自動的に音楽再生機能を停止してラジオ放送受信機能を起動させる。
【００１８】
以上のように、この実施の形態１によれば、ラジオ放送受信機能中に受信レベルが所定期間の間、基準劣化レベル未満になった場合に自動的に音楽再生機能に移行し、受信レベルが所定期間の間、基準回復レベル以上に復帰した場合に自動的にラジオ放送受信機能に復帰する際に、受信レベルを判定する際の基準レベルとして、基準回復レベルを基準劣化レベルより大きく設定することにより、ラジオ放送受信機能と音楽再生機能が頻繁に切り替わることを防ぐことができるという効果が得られる。
【００１９】
また、この実施の形態１によれば、基準劣化レベル未満の受信レベル及び基準回復レベル以上の受信レベルが所定時間維持されてから、それぞれ音楽再生機能及びラジオ放送受信機能へ切り替えることにより、受信レベルによりラジオ放送受信機能と音楽再生機能が頻繁に切り替わることをさらに防ぐことができ、ユーザに不快感を与えることがないという効果が得られる。
【００２０】
さらに、この実施の形態１によれば、音楽再生機能又はラジオ受信機能への切り替え時に通知音を鳴動させ、ユーザに認識させることにより、ユーザの利便性を向上することができるという効果が得られる。
【図面の簡単な説明】
【００２１】
【図１】この発明の実施の形態１によるラジオ放送受信機能と音楽再生機能を有するラジオ放送受信装置の構成を示すブロック図である。
【図２】この発明の実施の形態１によるラジオ放送受信装置の処理の流れを示すフローチャートである。
【図３】この発明の実施の形態１によるラジオ放送受信装置のラジオ放送受信機能と音楽再生機能の切り替えを概念的に説明する図である。
【符号の説明】
【００２２】
１  ラジオチューナ部、２  音楽再生部、３  アンテナ部、４  制御部、５  アンプ部、６  スピーカ、７  音楽データ記憶部、８  ラジオ操作部、９  通知音鳴動部。
【図１】
2006165682.tif 000003
【図２】
2006165682.tif 000004
【図３】
2006165682.tif 000005